(57)【要約】【課題】尿が直接当たっても跳ね返りが少なく、しかも清掃および製作が容易な形状の目皿を提供する。【解決手段】中央部に上下に貫通する中央孔４ａを有し、平面視略ドーナツ状に形成された目皿４であって、目皿４の外周縁４ｂ側には上方へ膨出した断面形状のアール部４ｃが形成されているとともに、このアール部４ｃから中央孔４ａに向かって連続状に下傾した傾斜平面部４ｄにより擂り鉢状凹部Ｐが形成されている。【選択図】図２
2009197421.tif 000002
【特許請求の範囲】
【請求項１】
中央部に上下に貫通する中央孔を有し、平面視略ドーナツ状に形成された目皿であって、該目皿の外周縁側には上方へ膨出した断面形状のアール部が形成されているとともに、該アール部から前記中央孔に向かって連続状に下傾した擂り鉢状凹部が形成されていることを特徴とする目皿。
【請求項２】
前記目皿は、小便器の鉢面下方に設けられているトラップ部上に載せることのできる形状寸法に形成されていることを特徴とする請求項１に記載の目皿。
【請求項３】
前記目皿は、小便器の鉢面下方に着脱可能に取り付けられるカートリッジの上面全体を覆うことのできる寸法形状に形成されていることを特徴とする請求項１または請求項２に記載の目皿。
【発明の詳細な説明】
【技術分野】
【０００１】
本発明は、小便器などの排水口を覆うように設置される目皿に関するものである。
【背景技術】
【０００２】
従来、この種の目皿として、例えば特許文献１に開示されているように、全体的に凸面形状で、中央に開口があるものが存在する。
また、特許文献２に開示されているように、中央部に貫通状の開口が形成され、この開口の周縁および全体の輪郭を形成する外周縁がカーブ断面に形成されたものがある。この目皿では、放尿が衝突しても飛沫が跳ね返ることのないように構成したものである。
【特許文献１】実開昭６２−６６９７４号公報
【特許文献２】実開昭６２−６０６７７号公報
【発明の開示】
【発明が解決しようとする課題】
【０００３】
上記特許文献１に開示されている従来の目皿においては、凸面のアールが大きいため、放尿が衝突した時の飛沫の跳ね返りが大きいものとなる。なお、この形状で飛沫の跳ね返りを小さくするためアールを小さくすると、目皿の全体高さが高くなるという問題点があった。
また、上記特許文献２に開示されている従来の目皿においては、中央部の開口や、その周囲に設けられている開口に陰毛が引っ掛かるなどして、目皿上面に陰毛が残りやすいという問題点があり、また、凹凸のある形状であるため目皿上面も清掃しにくく、さらに、形状が複雑で造形しにくいという問題点もあった。
【課題を解決するための手段】
【０００４】
本発明は、清掃しやすく、尿等の飛沫の跳ね返りを少なくすることができ、造形も容易な目皿を提供することを目的の１つとし、この目的の少なくとも一部を達成するために以下の手段を採った。
本発明は、中央部に上下に貫通する中央孔を有し、平面視略ドーナツ状に形成された目皿であって、該目皿の外周縁側には上方へ膨出した断面形状のアール部が形成されているとともに、該アール部から前記中央孔に向かって連続状に下傾した擂り鉢状凹部が形成されていることを要旨とする。
【発明の効果】
【０００５】
本発明の目皿によれば、目皿の外周縁側に上方へ膨出して形成されたアール部から、中央に貫通形成されている中央孔に向かって連続状に下傾した擂り鉢状凹部が形成されているため、アール部による山部と擂り鉢状凹部による谷部を重ねることで高さを抑えることができ、清掃もしやすいものとなる。また、勢いをもった小便が衝突する部分のアールの曲率を小さくすることで、尿の勢いを効果的に緩和させることができ、大幅に飛沫の抑制が可能となる。
【０００６】
また、本発明の目皿は、小便器の鉢面下方に設けられているトラップ部上に載せることのできる形状寸法に形成することもできる。
こうすれば、小便器のトラップの上面に目皿を載置して、目皿でトラップの上面を覆蓋することができて、トラップ内への煙草の吸殻などの入り込みを目皿で防ぐことができ、しかも目皿は、その外周縁側にアール部が上方へ膨出して形成され、中央孔に向かって擂り鉢状凹部が形成されているため、目皿に尿が直接当たっても跳ね返りが少なくなり、また、目皿の高さを低くすることができて、見栄え良くトラップ上に目皿を設置できるものとなる。
【０００７】
また、本発明の目皿は、小便器の鉢面下方に着脱可能に取り付けられるカートリッジの上面全体を覆うことのできる寸法形状に形成することもできる。
こうすれば、小便器に着脱可能に取り付けられたカートリッジの上面全体を目皿で覆ってカートリッジを隠蔽させることができ、見栄えが良いものとなる。また、目皿は、外周縁側のアール部と、中央部の中央孔に向かう擂り鉢状凹部が形成されているため、曲面部分が多くなり、尿が直接目皿に当たっても跳ね返りが少ないものとなり、清掃もしやすいものとなる。
【発明を実施するための最良の形態】
【０００８】
次に、本発明を実施するための最良の形態を実施例を用いて説明する。
【実施例１】
【０００９】
図１〜図７は第１実施例を示す。
図１は、小便器の縦断面構成図であり、小便器１の下部の鉢面１ａには排水口１ｂが開口されており、この排水口１ｂに、取付けフランジ２ａを介してトラップ部２が垂下状に設けられている。トラップ部２内には、別体の後述のカートリッジ３が収納される収納部が取り付けられ、収納部から背面側へ開口して排出口２ｂが形成される排水管が延出している。この収納部と排水管により、排水接続部材が構成されている。
【００１０】
本例における排水接続部材の収納部内には、排水口１ｂ側から差し込まれて着脱可能にカートリッジ３がオイル密閉されて内装されており、このカートリッジ３には、その上面側に尿が侵入する開口３ａが形成されている。
このカートリッジ３の上面に、カートリッジ３の上面全体を覆う寸法の目皿４が載置されており、この目皿４によりトラップ部２の上面が覆蓋されている。
このようにトラップ部２内にカートリッジ３を密閉状に内装した形式の小便器は、小便器の鉢面１ａに水を流さない、いわゆる無水小便器を構成している。
【００１１】
上面に載せられた目皿４により、トラップ部２内への煙草の吸殻などの入り込みを防ぐことができ、また、カートリッジ３が目皿４で隠蔽されるため、小便器１の見栄えが良好なものとなる。
さらに、本例の目皿４は、山と谷を重ね合わせたような曲面を備えており、この目皿４に尿が直接当たっても尿の飛沫の跳ね返りが少ない形状に設計されている。
【００１２】
即ち、目皿４は、図２に縦断面図で、図３で外観図を示し、図４では平面図を示し、図５では一部破断斜視図を示し、さらに図６および図７では裏面側の斜視図を示すような形状となっている。
目皿４は、中央部に上下に貫通して尿が流下する中央孔４ａが貫通形成されている。また、目皿４の外周縁４ｂの内側には、外周縁４ｂから上方へ向かって湾曲状に膨出してアール部４ｃが平面リング状に形成され、このアール部４ｃの内側から中央孔４ａに向かって連続状に下傾した傾斜平面部４ｄが形成されている。
この傾斜平面部４ｄにより、リング状のアール部４ｃの内側に擂り鉢状の擂り鉢状凹部Ｐが形成されている。この擂り鉢状凹部Ｐの中央部に前記中央孔４ａが存在する。
【００１３】
なお、アール部４ｃの裏側は上方へ湾曲した湾曲底部４ｆとなっており、湾曲底部４ｆの内端側から垂下状に脚部４ｅが一体形成されており、この脚部４ｅはリング状に間隔をおいて３個突出形成され、脚部４ｅ，４ｅ間には、下方側への突出高さの短い小山部４ｇ，４ｇ，４ｇが形成され、小山部４ｇと脚部４ｅ間には隙間Ｓが形成されている。
【００１４】
このような形状の目皿４は、例えば前記中央孔４ａの内径寸法ａは１４ｍｍに設定されている。また、外周縁４ｂの直径寸法ｂは１１８ｍｍに設定されている。また、対向するアール部４ｃの頂部間の水平距離ｄは８０ｍｍに設定されている。また、外周縁４ｂの下端から前記アール部４ｃの頂部までの高さ寸法ｃは１９ｍｍに設定されている。
なお、本例では、外周縁４ｂ側にアール部４ｃが形成され、このアール部４ｃの内側に擂り鉢状凹部Ｐが形成されて、アール部４ｃの高さ寸法ｃを低い寸法に設定することができ、目皿４を設置した時に、目皿４が小便器１の鉢面１ａ内で上方へ突出することがないように設計されている。
【００１５】
このようにアール部４ｃと擂り鉢状凹部Ｐが連続して形成され、全体として曲面部分が多くなり、尿が直接当たっても跳ね返りが少ない形状に設定されている。また、このような形状では、目皿４の清掃も容易なものとなり、しかも形状がシンプルであるため目皿４の製造も容易なものとなる。
なお、尿が直接当たっても跳ね返りを少なくするために、アール部４ｃの曲率半径Ｒは例えば２０ｍｍに設定しておくことができ、アール部４ｃの曲率半径Ｒを５ｍｍ〜３０ｍｍの範囲内に設定することで、尿の跳ね返りを少なくできるものである。
【００１６】
なお、この目皿４をカートリッジ３の上面に載置した時には、外周縁４ｂがカートリッジ３の外側に位置して、カートリッジ３の上面を完全に覆うことができるものである。また、カートリッジ３上に載せた状態で脚部４ｅがカートリッジ３の上面に当接するが、隙間Ｓが形成されているため、この隙間Ｓを通り尿が脚部４ｅの外側から内側へ流れ込んで、尿はカートリッジ３の開口３ａからカートリッジ３内に流れ込む。
【実施例２】
【００１７】
次に、図８〜図１１は第２実施例を示す。
図８の小便器は、水を流して洗浄する通常タイプのものであり、鉢面１ａには排水口１ｂが開口されており、この排水口１ｂから下方側へ一体状にトラップ部１ｃが形成されており、トラップ部１ｃに連通して小便器１の背面側に排出口１ｄが一体形成されている。このトラップ部１ｃの上端の排水口１ｂに目皿４が嵌め込み状に取り付けられており、目皿４によりトラップ部１ｃの上面が覆われて、トラップ部１ｃ内への煙草の吸殻等の入り込みが防がれる。
【００１８】
この目皿４は、図９に縦断面図で、図１０に外観図で、また図１１に平面図で示すような形状となっている。
目皿４の中央部には、縦方向に長い中央孔４ａが上下に貫通形成されており、上面側には、外周縁４ｂから上方へ向かって膨出状にアール部４ｃが形成され、アール部４ｃの内側は、中央孔４ａに向かって湾曲状に下傾して擂り鉢状凹部Ｐが形成されている。また、外周縁４ｂから中央側へ向かって下傾した外壁部４ｈが形成されており、外壁部４ｈの下端には、下方へ突出して脚部４ｅ，４ｅが一体形成されている。また、外壁部４ｈの内側は中空部４ｊとなっている。
【００１９】
このような形状の目皿４は、小便器の排水口１ｂに外壁部４ｈを差し込み状にして取り付けることができ、取り付けた状態では、排水口１ｂは外周縁４ｂで覆蓋された状態となり、排水口１ｂは隠されて見栄えの良い設置状態が得られるものである。
また、尿がアール部４ｃあるいは擂り鉢状凹部Ｐに直接当たっても、曲面で構成されており、尿の飛沫が跳ね返ることが少ないものとなる。また、このような目皿４は、製造しやすく、しかも、清掃しやすい形状となっている。
【図面の簡単な説明】
【００２０】
【図１】第１実施例の目皿を取り付けた小便器の縦断面構成図である。
【図２】目皿の拡大縦断面構成図である。
【図３】目皿の外観図である。
【図４】目皿の平面構成図である。
【図５】目皿の一部を破断した斜視構成図である。
【図６】目皿を裏面側から視た斜視構成図である。
【図７】目皿を裏面側から視た一部破断斜視構成図である。
【図８】第２実施例の目皿を通常タイプの小便器に取り付けた状態の縦断面構成図である。
【図９】第２実施例の目皿の拡大縦断面構成図である。
【図１０】第２実施例の目皿の外観図である。
【図１１】第２実施例の目皿の平面構成図である。
【符号の説明】
【００２１】
１  小便器
１ａ  鉢面
１ｂ  排水口
１ｃ  トラップ部
１ｄ  排出口
２  トラップ部
２ｂ  排出口
３  カートリッジ
３ａ  開口
４  目皿
４ａ  中央孔
４ｂ  外周縁
４ｃ  アール部
４ｄ  傾斜平面部
４ｅ  脚部
４ｆ  湾曲底部
４ｈ  外壁部
Ｓ  隙間
Ｐ  擂り鉢状凹部
【図１】
2009197421.tif 000003
【図２】
2009197421.tif 000004
【図３】
2009197421.tif 000005
【図４】
2009197421.tif 000006
【図５】
2009197421.tif 000007
【図６】
2009197421.tif 000008
【図７】
2009197421.tif 000009
【図８】
2009197421.tif 000010
【図９】
2009197421.tif 000011
【図１０】
2009197421.tif 000012
【図１１】
2009197421.tif 000013